(57)【要約】      （修正有）【課題】商用電力からの供給が無くとも非接触ＩＣタグ等の非接触型のデータキャリアに対して比較的大きな電力の供給が可能であると共に該データキャリアからの情報を読取可能であり、携帯性に富んだ非接触型データキャリア読取装置に用いることができるアンテナ部の提供。【解決手段】非接触型データキャリア読取用ハンディアンテナ１は、非接触ＩＣタグＴに電力供給すると共に非接触ＩＣタグＴからの情報を読取可能であり、作動させるための作動スイッチを設けた本体２と、ループ状に形成すると共に基端部及び終端部が本体２に接続されるケースを設け、ケース内には本体に電気的に接続されるアンテナ用コイルを収納するループ状のアンテナ部３とからなることを特徴とする。【選択図】図１
2004246617.tif 000002
【特許請求の範囲】
【請求項１】
非接触型データキャリアに電力供給可能な信号を生成すると共に非接触型データキャリアから送信される情報を読取可能であり、作動させるためのスイッチを設けた本体と、
ループ状に形成すると共に基端部及び終端部が本体に接続されるケースを設け、ケース内には本体に電気的に接続されるアンテナ用コイルを収納するループ状のアンテナ部とからなることを特徴とする非接触型データキャリア読取用ハンディアンテナ。
【発明の詳細な説明】
【０００１】
【発明の属する技術分野】この発明は、非接触ＩＣを用いたタグやＩＣカード等のデータ端末との間でデータの送受信を行う装置に用いるアンテナ装置にかかる。
【０００２】
【従来の技術】従来、販売時点情報管理システム（ＰＯＳシステム）やアパレル業界等で用いられていた在庫管理装置では、各商品毎に識別情報を表示したバーコードや、非接触型のＩＣ素子を用いて各商品毎に識別情報を予め記憶させておき電力を供給して記憶させた情報を取得する非接触型ＩＣタグ等が用いられていた。
例えば、バーコードによって商品を管理する方法では、バーコードを読み取るために、ＰＯＳシステムに接続した光学式のバーコードリーダによってバーコードを読み取っていた。
又、非接触型ＩＣタグでは、洋服を管理する場合には、商品である各洋服毎にその洋服の種類や色、大きさ、価格等種々の情報を予め記憶させた非接触型ＩＣタグを洋服のネームタグ部分や胸ボタン、袖ボタン等に添付しておき、管理装置側から電力を供給して非接触型ＩＣタグのＩＣを駆動し、ＩＣに記憶されている該情報を読み取っていた。
【０００３】
即ち、非接触型ＩＣタグを用いた従来例としては、『非接触電子タグ読取装置』（特開２００２−２４５４１８）や、『携帯型リーダライタ』（特開２００１−２５６４４７）がある。
『非接触電子タグ読取装置』（特開２００２−２４５４１８、以下従来例１という）は、
【０００４】
『（請求項１）  通路に置かれた遮蔽物と非接触電子タグ読取アンテナとを有し、該非接触電子タグ読取アンテナが前記遮蔽物の通路遮蔽面に取り付けられたことを特徴とする非接触電子タグ読取装置。
（請求項２）  通路に置かれた遮蔽物は可動物であることを特徴とする請求項１に記載の非接触電子タグ読取装置。
（請求項３）  通路に置かれた遮蔽物はスライド型扉、一端を支持された開閉扉、回転軸で支持された回転扉、カーテンのいずれかであることを特徴とする請求項１に記載の非接触電子タグ読取装置。
（請求項４）  非接触電子タグ読取アンテナはスライド型扉の開口辺、開閉扉の開放辺、回転扉の最外辺、カーテンの開放辺に接するよう取り付けられたことを特徴とする請求項１に記載の非接触電子タグ読取装置。
（請求項５）  非接触電子タグ読取アンテナの設置位置は通路床面より５０ｃｍ以上１８０ｃｍ以下であることを特徴とする請求項１に記載の非接触電子タグ読取装置。
（請求項６）  非接触電子タグ読取アンテナは少なくとも服飾衣料、貴金属、靴、鞄、財布、雑貨のいずれかに添付された非接触電子タグの読取用アンテナであることを特徴とする請求項１に記載の非接触電子タグ読取装置。
（請求項７）  通路に置かれた遮蔽物は服飾衣料、貴金属、靴、鞄、財布、雑貨のいずれかを収納する倉庫の出入り口に設置されたことを特徴とする請求項１に記載の非接触電子タグ読取装置。
（請求項８）  通路に置かれた遮蔽物は店舗内、ないしは店舗に隣接して設置された商品倉庫の出入り口に設置されたことを特徴とする請求項１に記載の非接触電子タグ読取装置。』
【０００５】
からなり、該非接触電子タグ読取装置は図８に表すように、作業者１００が非接触電子タグ１０１を貼付等した商品等の物品１０２を持ち歩くことで非接触電子タグ読取アンテナ１０１は移動される。非接触電子タグ１０１は、ＩＣチップ及び送受信用の小型のアンテナ部を内蔵しており、非接触状態でアンテナ部から電力の供給を受けてＩＣチップを動作させ、予め記録されていた内容をアンテナ部から発信可能である。
【０００６】
一方、非接触電子タグ読取アンテナ１０４は壁面や開閉扉等の遮蔽物１０３に予め固定されている。非接触電子タグ読取アンテナ１０４は、図示されない非接触電子タグ１０１から情報を読み取るための装置から電力の供給を受けると共に該装置によって動作され、非接触電子タグ１０１から非接触電子タグ１０１に記録されていた情報を受信可能である。非接触電子タグ読取アンテナ１０４は、該装置から常に電力の供給を受けて、常に空間に対して電力の供給を続けている。非接触電子タグ読取アンテナ１０４は、作業者１００が商品を持ち歩くことから商品に貼付された非接触電子タグ１０１の高さとなるように高さ５０ｃｍ〜１８０ｃｍに設置される。又、非接触電子タグ読取アンテナ１０４は、非接触電子タグ１０１がどの位置にあっても良いように非接触電子タグ１０１の位置に設置されると共に図９及び図１０に表すように商品に取り付けられた非接触電子タグ１０１の用途によって様々に固定設置される。図９は、非接触電子タグ読取アンテナ１０４が非接触電子タグ１０１から読み取った情報によって、遮蔽物であるドア１０３の開閉が自動的に行われる例である。図１０は、設置された対向する非接触電子タグ読取アンテナ１０４間を非接触電子タグ１０１が通過するときに非接触電子タグ１０１から情報を読み取るようにした例であり、スーパーマーケットやコンビニエンスストアや書店などによく見かける例である。
【０００７】
そして、非接触電子タグ１０１を貼付した物品１０２を作業者１００が持ち運び、遮蔽物１０３に固定された非接触電子タグ読取アンテナ１０４の前面に到達すると、非接触電子タグ１０１では、非接触電子タグ読取アンテナ１０４から発信されている電力の供給を受ける。
すると、非接触電子タグ１０１に設けるＩＣチップは、受領した電力によって自身に記録されている商品の種類や色、大きさ、価格等の情報を非接触電子タグ１０１に設けたアンテナ部から送信する。
【０００８】
そして、非接触電子タグ１０１のＩＣチップに供給される電力は、設置された非接触電子タグ読取アンテナ１０４の大きさや非接触電子タグ読取アンテナ１０４に供給される電力等と、例えば図１０に表す例で言えば通過する位置によって異なるので、設置する非接触電子タグ読取アンテナ１０４は、非接触電子タグ１０１の通過位置によってその設置位置や非接触電子タグ１０１へ供給する電力が決定されることとなる。
【０００９】
そして、上記固定型の非接触電子タグ読取アンテナ１０４と同じような従来例としては、特開２００２−２７９５２４に表される『衣類用タグと衣類用管理システム』中に現れる床面に設置されたアンテナがある。この従来例では、複数連ねて移動される衣類それぞれに取り付けられた非接触型の衣類用タグからの情報は、衣類を複数連ねて床面に設置されたアンテナ上を移動されることで読み取っている。尚、特開２００２−２７９５２４に表される『衣類用タグと衣類用管理システム』は情報の授受に関する特徴が従来例１とほぼ同じであるため詳細は記述しない。
【００１０】
又、『携帯型リーダライタ』（特開２００１−２５６４４７、以後従来例２という）は、
【００１１】
『（請求項１）  制御回路およびバッテリが収納されたケース本体と、上記ケース本体に対して接離可能に構成された可動部とを備え、上記可動部にアンテナ用コイルおよび送受信回路が収納された携帯型リーダーライタ。
（請求項２）  上記可動部をケース本体に対して回動支点を介して開閉可能に構成し、上記可動部の遊端側にアンテナ用コイルが収納された請求項１記載の携帯型リーダーライタ。
（請求項３）  上記可動部をケース本体に対して摺動可能に構成し、摺動時に上記可動部がケース本体から遠ざかる側にアンテナ用コイルが収納された請求項１記載の携帯型リーダーライタ。
（請求項４）  上記可動部をケース本体に対して分離可能に構成した請求項１，２または３記載の携帯型リーダーライタ。』
【００１２】
からなる。そして、従来例２の携帯型リーダライタ１１０は、従来例１同様、各種データを記録したデータキャリアであるＩＣチップを内蔵した非接触ＩＣタグへ非接触状態で電力の供給を行い、非接触ＩＣタグを駆動させて非接触ＩＣタグに記録されているデータを読み取るものであり、図１１に表すようにケース本体１１１内にバッテリ１１２及び制御部１１３を内蔵させてなる。又、ケース本体１１１には可動部１１５がヒンジ１１４によって着脱自在に設けられている。そして、可動部１１５内にはアンテナ用コイル１１６が設けられている。アンテナ用コイル１１６は、制御部１１３が制御した非接触ＩＣタグが電力として受領可能な信号として発信する。
【００１３】
上述のように構成する携帯型リーダライタ１１０では、データキャリアである非接触ＩＣタグを可動部１１５内のアンテナ用コイル１１６上となるように可動部１１５上に載置する。そして、制御部１１３の制御によるアンテナ用コイル１１６から非接触ＩＣタグが受領可能な電力を供給する。すると非接触ＩＣタグでは、供給された電力を非接触ＩＣタグに設けるアンテナ部から受領して電力とし、非接触ＩＣタグに予め記録されていた情報を非接触ＩＣタグ内のアンテナ部から送信する。
携帯型リーダライタ１１０では、非接触ＩＣタグから発信された情報をアンテナ用コイル１１６で受信して該情報を受領することとなる。
【００１４】
更に又、回転寿司における使用済み寿司皿の枚数計算に用いた例もあった。この従来例では、個々の寿司皿下面の外縁側に非接触ＩＣタグを予め固定しておく。そして顧客が飲食を終了して精算するときには、店員は顧客の使用済み寿司皿を縦に重ねる。この時、非接触ＩＣタグが略同一方向となるように重ねておく。次いで、従来例２に挙げたようなＰＯＳシステムに用いられるハンディスキャナ形状の極小さなアンテナ部を有する非接触ＩＣタグ読み取り用のスキャナが用意されており、該スキャナを重ねられた寿司皿の非接触ＩＣタグ位置に当て上下に移動させる。すると、非接触ＩＣタグは該スキャナのアンテナ部から電力を受け、非接触ＩＣタグに記録されているデータを送信し、該送信されたデータを該スキャナが受信して寿司皿の枚数を計数していた。このように非接触ＩＣタグを寿司皿の計数に用いると、１枚当たり種々の値段設定がなされている複数種の寿司皿を種々の値段毎に計数可能となり、精算時の煩わしさを簡略化でき、更には、予め顧客の座っていた客席に設けてある客席を識別するための非接触ＩＣタグを寿司皿同様にスキャンし、客席番号及び使用済み寿司皿の集計結果を該スキャナから無線によってＰＯＳシステムのＰＯＳレジスタに送信することで、顧客席で消費された合計代金を自動的にＰＯＳレジスタによって精算可能であった。
【００１５】
【発明が解決しようとする課題】しかしながら、上記従来例１では、装置自体が設置固定タイプであり商用電力から電力の供給が行える上、非接触電子タグ読取アンテナ１０４が大きいので、比較的離れた位置にある接触電子タグ１０１にも電力を供給可能であると共に非接触電子タグ１０１から送信される情報を受領可能となるが、アンテナ用コイル１１６自体が大きくなると共に電力の供給を受ける関係から固定設置しなければならず、一度設置した場合には他の場所への移動が容易にできないという問題点を有した。
【００１６】
又、従来例２に表す携帯型リーダライタ１１０は、小型であり携帯できるため、持ち運びは容易であって使い勝手はよいが、アンテナ部が可動部１１５内に設ける程度の小型のものであると共に装置の小型化のために多くの電力を消費可能なバッテリを内蔵できないので、電力を供給できる範囲が限られ、非接触ＩＣタグを可動部１１５上に載置して非接触ＩＣタグのアンテナ部と携帯型リーダライタ１１０のアンテナ用コイル１１６との位置をあわせなければならないという問題点を有した。
【００１７】
即ち、従来例２において例えば複数の衣服が纏めて掛けられた衣服売場などで、衣服に取り付けられた非接触ＩＣタグから情報を読む際には、全ての衣服の非接触ＩＣタグを一つずつ携帯型リーダライタ１１０の可動部１１５上に当てアンテナ用コイル１１６と非接触ＩＣタグのアンテナ部とを一致させて読み込ませなければならず読み込み作業に多くの時間を費やさなければならないという問題点を有した。
【００１８】
更に又、寿司皿の計数を行う従来例では、非接触ＩＣタグとアクセス可能な非接触ＩＣタグ読取用のスキャナからの電力供給範囲及び非接触ＩＣタグからの情報を受信可能な範囲が限られるので、実際の枚数より少なくカウントしてしまうという問題点を有した。又、この問題点は特に非接触ＩＣタグの位置合わせを行わずにスキャンする場合に頻発するので、スキャン前の作業として、非接触ＩＣタグの位置合わせを徹底しなければならず、精算作業に手間を有していた。又、寿司皿の見栄え、耐久性等の関係から非接触ＩＣタグが製造時に既に寿司皿内部に埋め込まれているタイプのものもあり、これら寿司皿を用いる場合には、使用済みの寿司皿に埋設された非接触ＩＣタグＴの位置を合わせることが更に困難であり、スキャンミスを起こす可能性が更に高くなってしまうという問題点を有した。
【００１９】
この発明は上記問題点に鑑み、商用電力からの供給が無くとも非接触ＩＣタグ等の非接触型のデータキャリアに対して比較的大きな電力の供給が可能であると共に該データキャリアからの情報を読取可能であり、携帯性に富んだ非接触型データキャリア読取装置に用いることができるアンテナ部の提供を目的とする。
【００２０】
【課題を解決するための手段】そこでこの発明は、
非接触型データキャリアに電力供給可能な信号を生成すると共に非接触型データキャリアから送信される情報を読取可能であり、作動させるためのスイッチを設けた本体と、ループ状に形成すると共に基端部及び終端部が本体に接続されるケースを設け、ケース内には本体に電気的に接続されるアンテナ用コイルを収納するループ状のアンテナ部とからなることを特徴とする非接触型データキャリア読取用ハンディアンテナ、
【００２１】
を提供する。そしてこの発明では、作業者が非接触型データキャリア読取用ハンディアンテナを非接触型データキャリア周辺に移動させる。次いで非接触型データキャリア読取用ハンディアンテナに設けたスイッチをオン状態とする。すると、制御部では非接触型データキャリアに供給する電力を生成してアンテナ部に内蔵したアンテナ用コイルから発信させる。
アンテナ用コイルから発信された電力は非接触型データキャリアのアンテナコイルによって受領される。すると、非接触型データキャリアではＩＣ内に記録されている情報を送信する。
非接触型データキャリアから送信された情報はアンテナ用コイルによって受信されて制御部が読み取る。
尚、この発明において言う非接触型データキャリアは、例えば、非接触ＩＣタグや、非接触ＩＣタグ同様の作用を有し商品に貼付して用いる非接触ＩＣタグシールや、ＩＣを埋め込んである寿司皿等であるが、これらに限定されるものではなく、非接触状態で外部から供給される電力を受信し、供給された電力によって自身に記録されている情報を外部に発信するキャリアであれば実施可能である。
【００２２】
【発明の実施の形態】以下に、この発明の実施の形態を、図面に基づき説明する。図１はこの発明の第１の実施の形態を実施した状態を表す説明図であり、図２は第１の実施の形態の斜視説明図であり、図３は第１の実施の形態の他の実施例を表す斜視説明図であり、図４はアンテナ部の一部切欠説明図であり、図５は第２の実施の形態を実施した状態を表す説明図であり、図６はこの発明の実施の形態を商品に実施した状態の説明図であり、図７は同他の説明図である。
【００２３】
１は非接触型データキャリア読取用ハンディアンテナである。非接触型データキャリア読取用ハンディアンテナ１（以下、ハンディアンテナ１という。）は、本体２と、アンテナ部３とからなる。そして、ハンディアンテナ１は、非接触型データキャリアである非接触ＩＣタグＴへ電力供給可能であると共に非接触ＩＣタグＴが発信する情報を受信して読み取り可能である。
【００２４】
非接触ＩＣタグＴは、電源は内蔵しておらず、ＩＣチップを内蔵すると共に送受信用のアンテナコイルを内蔵している。そして、非接触ＩＣタグＴは、外部から電磁波のかたちで供給される電力を内蔵するアンテナコイルで受領して電力とし、電力供給があると、予めＩＣチップに記録されているキャリア情報、即ち、商品の色、形、値段、品種、名称、製造工場等の商品流通にとって必要な情報をアンテナコイルから発信するものである。尚、非接触ＩＣタグＴに記録されている情報は、全てそれぞれの非接触ＩＣタグＴを識別可能な情報を含んでおり、全く同じ色、形、値段等でも、ＩＤのような自身を識別可能な情報を必ず含んでいる。
【００２５】
ハンディアンテナ１は、図１に表すように、非接触ＩＣタグＴによって商品を管理するＰＯＳシステムＰのＰＯＳターミナルＰ１と接続ケーブル５によって接続される。ＰＯＳターミナルＰ１は、ＰＯＳシステムＰと無線によって情報交換が可能である。
【００２６】
ハンディアンテナ１の本体２は、バッテリ４を内蔵しバッテリ４から電力の供給を受ける。又、本体２はアンテナ部３が固定されており、本体２に内蔵する制御部（図示せず）がバッテリ４から供給される電力を非接触ＩＣタグＴが受領可能な電磁波に変換してアンテナ部３から発信可能である。この実施の形態では、バッテリ４は、ＰＯＳターミナルＰ１がＰＯＳシステムＰと無線方式によって通信するよう形成するので、ＰＯＳターミナルＰ１に大きな電源を持たないため、本体２に内蔵させたが、動作可能時間及び動作電力の関係からバッテリ４の重量が嵩みバッテリ４内蔵状態では長時間に渡るハンディアンテナ１の手持ち状態での作業が困難な場合等には、バッテリ４は本体２内に内蔵せず、作業者がウェストバンド等によって身体に取り付けて作業できるように本体２外部に設けて電源コードによって本体に電力供給可能となるようにしても良い。更には、例えば、図５に表すＰＯＳターミナルＰ１がＰＯＳシステムＰとケーブルによって直接的に接続されて通信可能である第２の実施の形態のように、ＰＯＳターミナルＰ１自身が所定の場所に設置されるものであり、十分な電力の供給が可能であれば、ＰＯＳターミナルＰ１内に設けるバッテリ（場合によっては商用電源）から電力の供給を受けるように形成しても良い。
【００２７】
又、本体２には作動スイッチ６を設ける。作動スイッチ６は、図示しない制御部とバッテリ４との間をオン・オフ可能に接続するプッシュスイッチであり、本体２内に基部を固定されて押圧部を本体表面から外部へ突出するように固定される。そして作動スイッチ６は、押圧している間はオン状態となりハンディアンテナ１を作動させ、押圧を解除するとオフ状態となりハンディアンテナ１の動作を停止させる。従って、本体２は、作動スイッチ６がオン状態で作動することができる。
【００２８】
アンテナ部３は、図２並びに図４に表すように、樹脂製からなるケースである封入筒７と、封入筒７内に封入されるアンテナ用コイルを形成するアンテナ線８とからなる。封入筒７は、中空な円筒体を所定の形状に湾曲させて設け、基端部が本体２に固定されてなり、作業者が容易に持ち運んで非接触ＩＣタグＴの存在する位置で上下或いは左右等に移動させる移動操作が容易なように軽量であり、且つ、封入されるアンテナ線８から電磁波を外部へ発信可能であるような軽量な非導電体の材質からなる。この実施の形態では、封入筒７は高分子樹脂を発泡させて軽量化して形成するが、未発泡の高分子樹脂からなっても良い。このように、アンテナ部３は封入筒７をループ状にしてアンテナ線８を内部に封入することで、封入筒７の形成する閉塞したアンテナ面全体を覆うことなくフレームのみによってアンテナ面を形成可能となる。
【００２９】
アンテナ線８は、エナメル線等相互に接触しても導通状態とならない複数の線素材９を中心に配置し、その周囲を被覆膜１０によって被覆し、更に被覆膜１０外周にはアンテナ線８に柔軟性を持たせると同時に強度を持たせるための被覆網１１をかぶせ、更に被覆網１１の外部には形状を整えるための外皮１２を形成してなる。そして、アンテナ線８は線素材９のみが電気導体からなり、複数ある線素材９は封入筒７が固定されている本体２内で、それぞれ隣り合う線素材９と接続されることで封入筒７形状のコイルを形成し、ハンディアンテナ１のアンテナとして機能可能である。この実施の形態では、アンテナ部３のアンテナ線８は前述のように、封入筒７内で複数回巻いたコイル状に形成したが、コイル状に複数回巻かずに１巻きのループ状から形成しても良く、本体２で電力供給用に作られた信号を出力可能であり、又、非接触ＩＣタグＴからの情報を受信可能で有ればよい。例えば、市販されている汎用性のある安価な４芯線シールド線を用い、実際のアンテナを構成する線材は網目状に被覆したシールド用の網線を用い、他の芯線はシールド線強度を保つために存在させ、複数在る芯線は電気的には機能させていない状態で使用しても良い。
【００３０】
尚、図３に表す例は、第１の実施の形態であるハンディスキャナ１の本体２にＰＤＡ等のＰＯＳ端末を着脱自在に固定可能な固定インターフェースを設けてＰＤＡ等のＰＯＳ端末を取付けた例であり、該ＰＯＳ端末が軽量の場合には一体化することで、ショルダー等に別途保持することなく使用可能となる。
【００３１】
以下に、上述のように形成するハンディアンテナ１の作用を説明する。図６は、アパレル業界で商品の移動に用いられる数１０着単位で移動可能な陳列ハンガー１３に複数の衣服Ａが吊り下げられた状態を表す。そして吊り下げられた各衣服Ａには非接触ＩＣタグＴが取り付けられている。この状態で作業者が吊り下げられている各衣服Ａの非接触ＩＣタグＴを読み取る。この作業は、例えば、店舗倉庫にある衣服Ａの在庫状況をＰＯＳシステムＰが把握するために各衣服Ａの情報を読み込む際や、工場で製造された各衣服Ａの流通状態を把握する際（例えば問屋から衣服Ａを搬入した際に、搬入された衣服が所定数あるかどうかのチェックや搬入された衣服Ａの種別のチェック等）に行う作業である。
【００３２】
そこで作業者は、ハンディアンテナ１の本体２部分を把持して陳列ハンガー１３の所へ行き、一方端の衣服Ａ位置でアンテナ部３の面を衣服Ａ側に向けて持ち、この状態で作動スイッチ６を押圧してハンディアンテナ１を図６中矢示Ｂで表すように吊り下げられている両端へ移動させる。
すると、ハンディアンテナ１では、衣服Ａに取り付けられた非接触ＩＣタグＴに供給する電力信号を本体２で生成し、アンテナ部３から発信する。
【００３３】
すると、アンテナ部３から供給された電力を一方端の衣服Ａ非接触ＩＣタグＴが受信して電力を得、自身に記録されている情報を内蔵するアンテナ用コイルから発信する。
非接触ＩＣタグＴから発信された情報は、ハンディアンテナ１のアンテナ部３によって受信され、本体２の制御部（図示せず）から外部に接続されるＰＯＳターミナルＰ１へ送信される。
【００３４】
ＰＯＳターミナルＰ１では、該情報を一方端の衣服Ａの情報として処理し、ＰＯＳシステムＰが受領する。
このような衣服Ａの非接触ＩＣタグＴとハンディアンテナ１との間で行われる情報交換を、矢示Ｂ方向に他端の衣服Ａの情報を読み取り可能なところまで移動して行うことで、陳列ハンガー１３に吊り下げられた全ての衣服Ａに関する情報が読み取られることとなる。
【００３５】
尚、ハンディアンテナ１を矢示Ｂ方向へ移動中には、ハンディアンテナ１が非接触ＩＣタグＴからの情報を読み取り可能な範囲の関係から、一度読み取られた情報が再び受信されることがあるが、一度読み込まれた非接触ＩＣタグＴの情報は重複しないようにキャンセルするように構成され、この制御は、ハンディアンテナ１の本体２内に設けた制御部（図示せず）で制御するように形成してもよく、ハンディアンテナ１が接続されるＰＯＳターミナルＰ１で制御するように形成しても良い。
【００３６】
又、図７（ａ）に表す例は、すでに梱包されてしまった靴、鞄等の商品に対して実施する場合を説明しており、１５は非接触ＩＣタグＴが取り付けられた商品が複数納められた段ボール箱である。段ボール箱１５は、倉庫において複数を積み重ねて載置される。
【００３７】
このような状況において、ハンディアンテナ１を段ボール箱１５位置に持っていき、図中矢示Ｃで表すように載置されている全ての段ボール１５内の非接触ＩＣタグＴから情報を受領可能となるようにハンディアンテナ１を作動スイッチ６を押しながら移動させる。
すると、前記した陳列ハンガー１３の場合同様に段ボール箱１５内に納められた全ての商品に関する情報を非接触ＩＣタグＴから受領する。
【００３８】
更に又、図７（ｂ）に表す例は、回転寿司における精算時の使用済み寿司皿の計数を行う例である。全ての寿司皿１６には予め非接触ＩＣタグＴを固定しておく。そして、使用済みとなった寿司皿を店員が縦に重ねる。次いで、ハンディスキャナ１のアンテナ部３中央の空間部を重ねた寿司皿１６が通過させるように、上下にハンディスキャナ１を移動させる。この移動作業によりハンディスキャナ１から重ねられた寿司皿１６の非接触ＩＣタグＴに供給されて、非接触ＩＣタグＴが自身に記録されている情報を送信する。次いで、ハンディスキャナ１では、非接触ＩＣタグＴから送信される信号を受領する。この作業が重ねられた全ての寿司皿１６に行われて寿司皿の計数が行われる。
【００３９】
【発明の効果】従って本発明によれば、非接触ＩＣタグＴへ電力供給すると共に供給した電力によって発信された非接触ＩＣタグからの情報を受領する際の情報取得用アンテナ部を作業者が把持して移動できる程度に小型化軽量化できると共に、電力供給範囲を従来例に表した携帯型リーダライタのようにアンテナコイル部の直近に限定することなく広い範囲とできるので、作業者が手で持ちながら移動することで、複数ある商品のそれぞれに取り付けられている非接触ＩＣタグＴを手にして一つ一つを読み取る作業をせず、非接触ＩＣタグＴを用いた商品管理の長所である電力を供給することで情報を取得できるメリットを生かし、複数ある商品全体をカバーするようにハンディアンテナを移動させるだけで、全ての商品の情報を取得可能となる。
【００４０】
又、段ボール箱等の包装容器内にあっても複数ある商品の個々の情報を簡単な作業によって取得可能となる。
更に又、ＰＯＳシステムにおいて実施した際などには、非接触ＩＣタグＴからの情報を受領するアンテナ部がハンディタイプなので持ち運び可能となり、必要な場所に作業者が持ち運んで作業できるので、例えば、店中の商品の在庫管理や入庫された商品の検品を行う場合などでも、作業者が移動するだけで商品を移動せずに行える。
【００４１】
又、寿司皿を計数する際等、非接触ＩＣタグがアンテナ部の中央を通過するようにハンディスキャナを移動させることで、寿司皿に固定された非接触ＩＣタグの位置合わせを行わなくとも安定して寿司皿に固定された非接触ＩＣタグからの情報を受領可能となる効果を有する。
【図面の簡単な説明】
【図１】第１の実施の形態を実施した状態を表す説明図
【図２】第１の実施の形態の斜視説明図
【図３】第１の実施の形態の他の実施例を表す斜視説明図
【図４】アンテナ部の一部切欠説明図
【図５】第２の実施の形態を実施した状態を表す説明図
【図６】この発明の実施の形態を商品に実施した状態の説明図
【図７】この発明の実施の形態を商品に実施した状態の他の説明図
【図８】従来例１の説明図
【図９】従来例１の説明図
【図１０】従来例１の説明図
【図１１】従来例２の斜視説明図
【符号の説明】
Ｐ    ＰＯＳシステム
Ｐ１  ＰＯＳターミナル
Ｔ    非接触ＩＣタグ
１    非接触型データキャリア読取用ハンディアンテナ
２    本体
３    アンテナ部
４    バッテリ
５    接続ケーブル
６    作動スイッチ
７    封入筒
８    アンテナ線
９    線素材
１０  被覆膜
１１  被覆網
１２  外皮
１３  陳列ハンガー
１４  キャスタ
１５  段ボール箱
１６  寿司皿
【図１】
2004246617.tif 000003
【図２】
2004246617.tif 000004
【図３】
2004246617.tif 000005
【図４】
2004246617.tif 000006
【図５】
2004246617.tif 000007
【図６】
2004246617.tif 000008
【図７】
2004246617.tif 000009
【図８】
2004246617.tif 000010
【図９】
2004246617.tif 000011
【図１０】
2004246617.tif 000012
【図１１】
2004246617.tif 000013